(57)【要約】【課題】電源を自動的に切断して電力の浪費を防止するとともに、電源を自動的に投入することにより放送番組をもれなく視聴しうる放送受信装置を提供する。【解決手段】番組案内情報に含まれる放送終了時刻情報に基づいて、放送信号の終了後に電源の供給を停止させる電源供給停止制御手段と、番組案内情報に含まれる放送開始時刻情報に基づいて、放送信号の開始時に電源の供給を開始させる電源供給開始制御手段とを備え、電源の供給停止期間中、電源供給開始制御手段に対する電源の供給は続行するようにした。【選択図】　　図１
2004135165.tif 000002
【特許請求の範囲】
【請求項１】
電源供給手段からの電源の供給を受けて、番組案内情報を含む放送信号を受信する放送受信装置において、
前記番組案内情報に含まれる放送終了時刻情報に基づいて、前記放送信号の終了後に前記電源の供給を停止させる電源供給停止制御手段と、
前記番組案内情報に含まれる放送開始時刻情報に基づいて、前記放送信号の開始時に前記電源の供給を開始させる電源供給開始制御手段と、
を備え、
前記電源の供給停止期間中、前記電源供給開始制御手段に対する電源の供給は続行するようにしたことを特徴とする放送受信装置。
【請求項２】
前記電源供給停止制御手段は、補助電源手段を有することを特徴とする請求項１記載の放送受信装置。
【請求項３】
前記番組案内情報に含まれる放送終了時刻情報は、視聴中のチャンネルの放送終了時刻情報であることを特徴とする請求項１または請求項２記載の放送受信装置。
【請求項４】
前記番組案内情報に含まれる放送開始時刻情報は、電源の供給停止時に選局されていたチャンネルの放送開始時刻情報であることを特徴とする請求項１または請求項２記載の放送受信装置。
【請求項５】
前記放送受信装置は、テレビジョンその他の映像処理装置であることを特徴とする請求項１から請求項４のいずれか一項記載の放送受信装置。
【請求項６】
前記放送受信装置は、映像録画装置であることを特徴とする請求項１から請求項４のいずれか一項記載の放送受信装置。
【発明の詳細な説明】
【０００１】
【発明の属する技術分野】
本発明は、番組案内情報を利用して電源を自動的に切断及び投入することが可能な放送受信装置に関する。
【０００２】
【従来の技術】
従来、放送受信装置の電源を切り忘れることによる電力の浪費を防止する放送受信装置として、番組案内情報（ＥＰＧ情報）を利用して放送終了後に、番組が放送されていない状態が所定時間以上継続した場合、電源の供給を停止することにより、自動的に電源を切断する放送受信装置が知られている（例えば、特許文献１参照）。
【０００３】
【特許文献１】
特開２００２−１６８５４号公報
【０００４】
【発明が解決しようとする課題】
しかし、この放送受信装置では、電源が自動的に切断された後、視聴者が電源を入れない限り、電源が切断されたままの状態となっている。したがって、店頭に設置されたテレビジョン等を、放送している番組がある時間帯においては常時放映した状態にしたい場合に、電源を投入し忘れるとテレビジョンが放映されないままになってしまうという問題がある。また、映像録画装置において番組の録画が予約されていたとしても、放送信号が受信されないために、録画がされない場合があるという問題がある。そこで、本発明は、電源を自動的に切断して電力の浪費を防止するとともに、電源を自動的に投入することにより放送番組をもれなく視聴しうる放送受信装置を提供することを課題とする。
【０００５】
【課題を解決するための手段】
上記課題を解決するために本発明による放送受信装置は、電源供給手段からの電源の供給を受けて、番組案内情報を含む放送信号を受信する放送受信装置において、前記番組案内情報に含まれる放送終了時刻情報に基づいて前記放送信号の終了後に前記電源の供給を停止させる電源供給停止制御手段と、前記番組案内情報に含まれる放送開始時刻情報に基づいて前記放送信号の開始時に前記電源の供給を開始させる電源供給開始制御手段とを備え、前記電源の供給停止期間中、前記電源供給開始制御手段に対する電源の供給は続行するようにしたことを特徴とする。
【０００６】
本発明によれば、図１を参照して、放送受信装置本体は、電源供給手段からの電源の供給を受けて、放送信号を受信し、この放送信号に所定の処理を行って、処理した信号を映像処理装置等に対して出力する。ここで、放送信号には番組案内情報が含まれており、電源供給停止制御手段は、この番組案内情報に含まれる放送終了時刻情報に基づいて、放送信号の終了後には電源の供給を停止させるように電源供給手段を制御する。したがって、放送が終了した後は、電源が自動的に切断された状態となる。その後、電源供給開始制御手段は、番組案内情報に含まれる放送開始時刻情報に基づいて、放送信号の開始時に電源の供給を開始させるように電源供給手段を制御する。したがって、受信しうる放送信号がある場合には、自動的に放送信号の受信が開始される。ところで、電源供給停止制御手段及び電源供給開始制御手段も、電源供給手段から電源の供給を受けて、上記処理を行う。そして、放送受信装置本体や電源供給停止制御手段に対する電源の供給を停止している間であっても、電源供給開始制御手段に対する電源の供給は続行される。したがって、電源供給開始制御手段は、電源の供給が停止されている状態の放送受信装置本体や電源供給停止制御手段に電源の供給を開始するように電源供給手段を制御することができる。
【０００７】
また、図２に示すように、請求項２記載の放送受信装置は、請求項１記載の放送受信装置において、前記電源供給開始制御手段は、補助電源手段を有することを特徴とする。
【０００８】
この場合、電源供給開始制御手段への電源の供給は、常時補助電源手段が行ってもよいし、電源供給手段が放送受信装置本体や電源供給停止制御手段へ電源を供給しているときは電源供給手段が行って、電源供給手段がこれらへ電源の供給を停止した後のみ補助電源手段が行ってもよい。
【０００９】
ところで、放送信号が終了したか否かの判断を、例えば全チャンネル中最も遅く放送信号が終了するチャンネルの放送終了時刻情報に基づいて行うとすると、利用者が、この時刻情報よりも早く放送が終了するチャンネルの放送を視聴した後に電源を切断し忘れた場合、最も遅く放送が終了するまでの間電源が投入されたままになる。
【００１０】
この場合、請求項３に記載の放送受信装置のように、請求項１または請求項２記載の放送受信装置において、前記番組案内情報中の放送終了時刻情報は、視聴中のチャンネルの放送終了時刻情報とするのが好ましい。
【００１１】
この請求項３記載の発明によれば、利用者が視聴していたチャンネルの放送が終了すれば、他のチャンネルのすべての放送が終了するのを待つまでもなく、電源の供給が停止される。
【００１２】
また、請求項４に記載の放送受信装置のように、請求項１または請求項２記載の放送受信装置において、前記番組案内情報中の放送開始時刻情報は、電源の供給停止時に選局されていたチャンネルの放送開始時刻情報としてもよい。
【００１３】
請求項５記載の放送受信装置は、請求項１から請求項４のいずれか１記載の放送受信装置が、テレビジョンその他の映像処理装置であることを特徴とする。
【００１４】
本発明によれば、映像処理を行う手段も放送受信装置を構成するのであるから、この映像処理手段も含めて電源の供給が制御される。
【００１５】
請求項６記載の放送受信装置は、請求項１から請求項４のいずれか１記載の放送受信装置が、映像録画装置であることを特徴とする。
【００１６】
本発明によれば、映像録画処理を行う手段も放送受信装置を構成するのであるから、この映像録画処理手段も含めて電源の供給が制御される。
【００１７】
【発明の実施の形態】
図３は、本発明による放送受信装置の構成例を示すブロック図である。
【００１８】
図３を参照して、放送受信装置は、放送信号を選択するチューナ１０２と、このチューナ１０２が選択した放送信号を復元する復調部１０３と、放送信号に施されたスクランブル処理を解除するデスクランブラ１０４と、多重化された放送信号を分離させるデマルチプレクサ１０５と、分離した放送信号のうちの音声信号を復元する音声デコーダ１０６と、分離した放送信号のうちの映像信号を復元する映像デコーダ１０７と、分離した放送信号のうちの番組案内情報を復調する番組案内情報復調部１０９と、復調した番組案内情報などを記憶する記憶部１０８と、番組案内情報表示画面を作成するＯＳＤ（Ｏｎ　Ｓｓｒｅｅｎ　Ｄｉｓｐｌａｙ）処理部１１０と、これら各部を制御する制御部１１１と、これら各部への電源供給手段である電源供給回路１１３と、この電源供給回路を制御する電源供給回路制御部１１４と、利用者の操作指示を受け付ける操作入力部１１２等とから構成される。
【００１９】
アンテナ１０１によって受信された電波は、本発明による放送受信装置により以下のように処理される。アンテナ１０１が受信した電波の中から、利用者が操作入力部１１２により選局したチャンネルの放送信号が、チューナ１０２によって選択される。この放送信号は、変調等の処理がなされているため、復調部１０３によって復調される。また、放送信号によっては契約以外の視聴を制限するためにスクランブル処理が施されているため、この場合はデスクランブラ１０４によってスクランブル処理が解除される。復調処理された放送信号は、音声・映像その他の信号が多重化されているため、デマルチプレクサ１０５によって各信号に分離される。分離された信号のうちの音声・映像各信号は、音声・映像各デコーダ１０６・１０７によってアナログ信号に変換され、テレビジョンその他の映像処理装置に対して出力される。一方、デマルチプレクサ１０５によって分離された信号のうちの番組案内情報信号は、番組案内情報復調部１０９によって復調され、番組案内情報として記憶部１０８に記憶される。この記憶部１０８に記憶された番組案内情報には、チャンネル番号、番組放送開始時間、番組放送終了時間等が含まれており、これらを基にＯＳＤ処理部１１０がＥＰＧ（Ｅｉｅｃｔｒｏｎｉｃ　Ｐｒｏｇｒａｍ　Ｇｕｉｄｅ：電子番組ガイド）画面を形成する。形成されたＥＰＧ画面に関する信号は映像処理装置に対して出力される。
【００２０】
以上の処理は、制御部１１１の制御によって行われる。また、制御部１１１を含め各部へ電源を供給するのが電源供給回路１１３であり、この電源供給回路１１３を制御するのが電源供給回路制御部１１４である。この電源供給回路制御部１１４は、本実施の形態では、電源供給開始制御手段及び電源供給停止制御手段の両方の役割を果たすものである。
【００２１】
電源供給回路制御部１１４は、図４に示すように、ＣＰＵ（Ｃｅｎｔｒａｌ　Ｐｒｏｃｅｓｓｉｎｇ　Ｕｎｉｔ）２０１と、ＲＯＭ（Ｒｅａｄ　Ｏｎｌｙ　Ｍｅｍｏｒｙ）２０２と、ＲＡＭ（Ｒａｎｄｏｍ　Ａｃｃｅｓｓ　Ｍｅｍｏｒｙ）２０３と、Ｉ／Ｆ（Ｉｎｔｅｒ　Ｆａｃｅ）２０４とから構成される。ＣＰＵ２０１は、電源供給回路１１３を制御するための処理を行う。ＲＯＭ２０２はＣＰＵ２０１が行う処理を実行するためのプログラムを格納し、ＲＡＭ２０３はＣＰＵ２０１が処理を行うために必要な情報を格納する。Ｉ／Ｆ２０４は、ＣＰＵ２０１からの命令を電源供給回路１１３に伝達する。
【００２２】
図５及び図６は、電源供給回路制御部１１４で行われる処理の流れを示すフローチャートである。
【００２３】
図５を参照して、構成するＣＰＵ２０１は、記憶部１０８に記憶された番組案内情報を取得して、これをＲＡＭ２０３に格納する（ステップＳ３０１）。この番組案内情報には、番組の開始時刻情報、番組の終了時刻情報等が含まれる。
【００２４】
次に、ＣＰＵ２０１は、前記番組案内情報から利用者が視聴中のチャンネルの放送終了時刻情報Ｔｅを読み出し、定期的に放送終了時刻情報Ｔｅと現在時刻情報Ｔを確認して、Ｔ≧Ｔｅとなったかを判断することにより視聴中のチャンネルの放送が終了したかを判断する（ステップＳ３０２）。
【００２５】
ステップＳ３０２で、放送が終了していないと判断された場合には、再び定期的にＴｅとＴを確認する。この場合には、放送受信装置各部には電源が供給されたままの状態であるから、放送受信装置は放送信号を受信処理して、引き続きテレビジョン装置等への音声・映像信号の出力処理を行う。一方、ステップＳ３０２で放送が終了したと判断された場合には、ＣＰＵ２０１は、その時点での現在時刻情報ＴをＴｏとする（ステップＳ３０３）。
【００２６】
その後、ＣＰＵ２０１は定期的に操作入力部１１２からの操作の有無を判断する（ステップＳ３０４）とともに、ＴｏからＴまでの時間　、すなわち無操作時間Ｔ−Ｔｏを計時し、予め設定されＲＯＭ２０２に記憶されている切断するまでの待機時間Ｔｃと比較する（ステップＳ３０５）。
【００２７】
ステップＳ３０４で、操作入力部１１２からの操作があったと判断された場合には、再び視聴中のチャンネルの放送終了時刻情報ＴｅをＲＡＭ２０３に格納されている番組案内情報から読み出し、このＴｅと現在時刻情報Ｔを定期的に確認して、放送が終了したかを判断する（ステップＳ３０２）。一方、ステップＳ３０４で操作がなかったと判断されたが、ステップＳ３０５で　待機時間Ｔｃ＞無操作時間Ｔ−Ｔｏと判断された場合には、再び、定期的に操作入力部１１２からの操作の有無を判断する（ステップＳ３０４）とともに、Ｔ−ＴｏとＴｃを比較する（ステップＳ３０５）。これに対して、ステップＳ３０４で操作がないと判断され、かつ、ステップＳ３０５で　Ｔｃ≦Ｔ−Ｔｏと判断された場合は、ＣＰＵ２０１は、記憶部１０８に記憶された番組案内情報の中から、翌日の番組案内情報を取得して、これをＲＡＭ２０３に格納する（ステップＳ３０６）。この番組案内情報は、翌日に放送受信装置に電源を自動的に投入する処理を行うために使用するものである。なお、この翌日の番組案内情報は可能であればステップＳ３０１で取得してもよい。
【００２８】
ステップＳ３０６の処理が完了した後、ＣＰＵ２０１は、Ｉ／Ｆ２０４を介して電源供給回路１１３に対して、放送受信装置を構成する各部（１０２〜１１１）への電源供給を停止するように命令する（ステップＳ３０７）。ただし、各部への電源が断たれた後においても電源供給回路制御部１１４へは電源が供給されるようにする。
【００２９】
図６を参照して、ＣＰＵ２０１は、ＲＡＭ２０３に記憶された番組案内情報から電源切断前最後に視聴されたチャンネルの放送開始時刻情報Ｔｓを読み出し、この放送開始時刻情報Ｔｓと現在時刻情報Ｔを定期的に確認してＴ≧Ｔｓとなったかを判断することにより、放送が開始されているかを判断する（ステップＳ４０１）。ステップＳ４０１において放送が開始していないと判断された場合は、再び放送が開始されているかを定期的に判断する（ステップＳ４０１）。一方、放送が開始していると判断された場合は、ＣＰＵ２０１は、Ｉ／Ｆ２０４を介して電源供給回路１１３に対して、制御部１１１を含む放送受信装置各部（１０２〜１１１）への電源供給を開始するように命令する（ステップＳ４０２）。
【００３０】
その後、制御部１１１が、電源自動切断時のチャンネルを選局し、放送受信装置各部（１０２〜１１１）によって、放送信号が処理されることになる。
【００３１】
以上のように、本実施の形態による放送受信装置は、放送信号に含まれる番組案内情報中の放送終了時刻情報に基づいて放送信号が終了した後、操作入力部からの入力が一定時間なされなければ、電源の供給を停止する。したがって、視聴していたチャンネルの放送が終了した後、操作入力部から他のチャンネルを選択する入力がなされなければ、電源が自動的に切断された状態になる。一方、本実施の形態による放送受信装置は、番組案内情報中の放送開始時刻情報に基づいて放送信号の開始時に電源の供給を開始し、自動的に電源が投入された状態になるため、利用者が電源を投入し忘れたとしても、受信しうる放送信号がある場合には、自動的に放送信号が受信される。よって、本実施の形態によれば、容易かつ実効的に電源を自動的に切断して、電力の浪費を防止するとともに、電源を自動的に投入することにより放送番組をもれなく視聴することができる。
【００３２】
なお、本実施の形態では、視聴中のチャンネルの放送終了時刻情報に基づいて電源供給を停止させるようにしたが、最も遅く番組が終了するチャンネルの放送終了時刻情報に基づいて電源供給を停止させるようにしてもよいことはもちろんである。この場合、ステップＳ３０２において、ステップＳ３０１で取得した複数のチャンネルの番組案内情報の中から一番遅い放送終了時刻情報Ｔｅを読み出して、このＴｅとＴを比較して放送が終了したかを判断すればよい。同様に、本実施の形態では、電源切断前最後に視聴されたチャンネルの放送開始時刻情報に基づいて電源供給を開始させるようにしたが、最も早く番組が開始するチャンネルの放送開始時刻情報に基づいて電源供給を開始させるようにしてもよい。この場合、ステップＳ４０１において、ステップＳ３０６で取得した複数のチャンネルの番組案内情報の中から一番早い放送開始時刻情報Ｔｓを読み出して、このＴｓとＴを比較して放送が開始したかを判断すればよい。
【００３３】
また、本実施の形態では、ステップＳ３０１において全てのチャンネルの番組案内情報を取得しているが、視聴中のチャンネルの放送終了時刻情報Ｔｅのみを取得してもよい。この場合、利用者が視聴するチャンネルを変更したときには、その都度記憶部１０８から視聴中の放送終了時刻情報Ｔｅを取得する。同様に、本実施の形態では、ステップＳ３０６において全てのチャンネルの翌日の番組案内情報を取得しているが、電源切断前最後に視聴されたチャンネルの放送開始時刻情報Ｔｓのみを取得してもよい。
【００３４】
また、本実施の形態では、電源供給回路制御部１１４が電源の供給停止制御及び供給開始制御の両方を行っているが、電源の供給停止制御は制御部１１４が行ってもよい。
【００３５】
また、本実施の形態では、制御部１１１と電源供給回路制御部１１４とに分けているが、両者を一つの制御部としてもよい。この場合、制御部１１１を除く放送受信装置各部への電源の供給を停止する。そして、制御部内では、電源供給回路１１３の制御に必要な手段と、自動電源投入に必要なプログラムと翌日の番組案内情報を記憶する記憶手段のみが作動し、電力を消費することになる。
【００３６】
また、本実施の形態では、放送受信装置を構成する各部への電源の供給を停止するときに、電源供給回路制御部１１４へは電源を供給するようにしているが、電源供給回路制御部１１４へは、バッテリ等別の電源供給源から直接電源を供給し、電源供給回路１１３を通しては一切の電源を供給しないようにしてもよい。
【００３７】
【発明の効果】
本発明による放送受信装置は、放送信号に含まれる番組案内情報中の放送終了時刻情報に基づいて放送信号が終了した後、電源の供給を停止するため、放送が終了した後に電源が自動的に切断された状態になる。一方、本発明による放送受信装置は、番組案内情報中の放送開始時刻情報に基づいて放送信号の開始時に電源の供給を開始し、自動的に電源が投入された状態になるため、利用者が電源を投入し忘れたとしても、受信しうる放送信号がある場合には、自動的に放送信号が受信される。したがって、放送している番組がある時間帯においては、店頭に設置されたテレビジョン等を常時放映した状態にしておくことができる。また、映像録画装置において録画が予約されている場合には、もれなく録画をすることができる。以上のように、本発明によれば、電源を自動的に切断して電力の浪費を防止するとともに、電源を自動的に投入することにより放送番組をもれなく視聴することができる。
【図面の簡単な説明】
【図１】請求項１に対応するブロック図である。
【図２】請求項２に対応するブロック図である。
【図３】本発明による放送受信装置の構成例を示すブロック図である。
【図４】本発明の一実施例における電源供給回路制御部１１４の構成を示すブロック図である。
【図５】電源供給回路制御部１１４で行われる電源供給の停止に関する処理の流れを示すフローチャートである。
【図６】電源供給回路制御部１１４で行われる電源供給の開始に関する処理の流れを示すフローチャートである。
【符号の説明】
１０１　　アンテナ
１０２　　チューナ
１０３　　復調部
１０４　　デスクランブラ
１０５　　デマルチプレクサ
１０６　　音声デコーダ
１０７　　映像デコーダ
１０８　　記憶部
１０９　　番組案内情報復調部
１１０　　ＯＳＤ処理部
１１１　　制御部
１１２　　操作入力部
１１３　　電源供給回路
１１４　　電源供給回路制御部
２０１　　ＣＰＵ
２０２　　ＲＯＭ
２０３　　ＲＡＭ
２０４　　Ｉ／Ｆ
【図１】
2004135165.tif 000003
【図２】
2004135165.tif 000004
【図３】
2004135165.tif 000005
【図４】
2004135165.tif 000006
【図５】
2004135165.tif 000007
【図６】
2004135165.tif 000008